(57)【特許請求の範囲】
【請求項１】
合成樹脂で成形され、ディスク状記録媒体が載置されるほぼ円形状の凹所と、左右両側に形成された左右一対のガイドレール部と、後端の一側部に偏位された位置に形成された切欠き部とを備えたディスクトレーと、
ディスクドライブ装置本体内のメインシャーシの左右両側壁部の内側に形成されて、上記ディスクトレーの左右一対のガイドレール部を案内することによってそのディスクトレーをディスクドライブ装置本体内に対してローディング及びイジェクトすることができるようにした左右一対のガイド溝部とを備えたディスクドライブ装置において、
上記ディスクトレーが上記ディスクドライブ装置本体外に最大限に引き出された状態で、そのディスクトレー上に所定の荷重が加えられた時に、そのディスクトレーの上記切欠き部側のガイドレール部が上記メインシャーシのそのガイド溝部の内側へ湾曲して脱落されることを防止する脱落防止部を備えた
ことを特徴とするディスクドライブ装置。
【請求項２】
上記メインシャーシが板金で形成されていて、上記脱落防止部がそのメインシャーシから切り起された突片で構成されている
ことを特徴とする請求項１に記載のディスクドライブ装置。
【発明の詳細な説明】
【０００１】
【発明の属する技術分野】
本発明は、ＣＤやＤＶＤ等の光ディスクの記録及び／又は再生を行うトレー方式の光ディスクドライブ装置等に適用するのに最適なディスクドライブ装置に関し、特に、ディスクトレーがディスクドライブ装置本体外に最大限に引き出された状態で、そのディスクトレーに所定の荷重が加えられた時に、ディスクトレーの脱落を防止するための構造に関する技術分野に属するものである。
【０００２】
従来から、トレー方式の光ディスクドライブ装置では、合成樹脂で成形されたディスクトレーの上面にほぼ円形状の凹所を一体成形し、そのディスクトレーの左右両側に左右一対のガイドレール部を平行状に一体成形し、そのディスクトレーの後端の一側部に偏位された位置にほぼＵ字形状の切欠き部を形成し、光ディスクドライブ装置本体内のメインシャーシの左右両側壁部の内側に左右一対のガイド溝部を平行状に形成して、ディスクトレーの左右一対のガイドレール部をメインシャーシの左右一対のガイド溝部内に挿入して、これら左右一対のガイド溝部でディスクトレーの左右一対のガイドレール部を案内することによってディスクトレーを光ディスクドライブ装置本体内に対して水平状にローディング及びイジェクトすることができるように構成されている。
【０００３】
この際、ディスクトレーの後端の一側部に偏位された位置に形成された切欠き部は、ディスクトレーを光ディスクドライブ装置本体内に完全にローディングした時に、光ディスクドライブ装置本体内に搭載されている光学ピックアップのスレッド駆動モータにディスクトレーが干渉されることがないようにするための逃げ用の切欠き部であり、この切欠き部を形成することによって光ディスクドライブ装置の小型化及び薄型化を実現している。
【０００４】
【発明が解決しようとする課題】
しかし、ディスクトレーの後端の一側部に切欠き部を形成したことにより、合成樹脂で成形されているディスクトレーの左右一対のガイドレール部のうちの、一方のガイドレール部の切欠き部に隣接する後端部分の剛性が著しく弱められていて、ディスクトレーを光ディスクドライブ装置本体外へ最大限に引き出した状態で、そのディスクトレー上に所定の荷重を加える荷重試験を行ったところ、１０ｋｇ以下の荷重を加えた時点で、一方のガイドレール部の切欠き部に隣接する後端部分が湾曲してガイド溝から内側へ脱落してしまうことが判明した。
【０００５】
本発明は、上記の問題を解決するためになされたものであって、ディスクトレーをディスクドライブ装置本体外に最大限に引き出した状態で、そのディスクトレー上に所定の荷重（１０ｋｇ）を加えても、ディスクトレーの一方のガイドレール部の切欠き部に隣接する後端部分がガイド溝部から内側へ脱落してしまうことを未然に防止することができるようにしたディスクドライブ装置を提供することを目的としている。
【０００５】
【課題を解決するための手段】
上記の目的を達成するための本発明のディスクドライブ装置は、合成樹脂で成形されたディスクトレーの左右両側に形成した左右一対のガイドレール部をディスクドライブ装置本体内のメインシャーシの左右両側壁部の内側に形成された左右一対のガイド溝部内に挿入して、ディスクトレーをディスクドライブ装置本体内に対してローディング及びイジェクトするように構成し、ディスクトレーの後端の一側部に偏位された位置に形成した切欠き部でディスクトレーをディスクドライブ装置本体内のスレッド駆動モータに対して逃げることができるようにしたディスクドライブ装置において、ディスクトレーがディスクドライブ装置本体外に最大限に引き出された状態で、そのディスクトレー上に所定の荷重（１０ｋｇ）が加えられた時に、ディスクトレーの一方のガイドレール部で切欠き部に隣接しているために剛性が著しく弱められている後端部分が一方のガイド溝の内側へ脱落されないような脱落防止具を備えたものである。
【０００７】
上記のように構成された本発明のディスクドライブ装置は、ディスクトレーがディスクドライブ装置本体外に最大限に引き出された状態で、そのディスクトレー上に所定の荷重（１０ｋｇ）が加えられても、そのディスクトレーの一方のガイドレール部で、そのディスクトレーの後端部に形成された切欠き部に隣接されているために剛性が著しく弱められている後端部分が一方のガイド溝の内側へ脱落されることを脱落防止部によって未然に防止することができる。
【０００８】
【発明の実施の形態】
以下、本発明をトレー方式の光ディスクドライブ装置に適用した実施の形態を以下の順序で説明する。
（１）  ・・・  光ディスクドライブ装置の概要説明
（２）  ・・・  メインシャーシ及びディスクトレーの説明
（３）  ・・・  光学ピックアップユニットの説明
（４）  ・・・  ローディング機構の説明
（５）  ・・・  イマージェンシーイジェクト機構の説明
（６）  ・・・  荷重試験時におけるディスクトレーの脱落防止機構の説明
（７）  ・・・  駆動モータとモータ基板の間に接続された電線の弛み防止機構の説明
（８）  ・・・  ガイド軸取付け機構の説明
（９）  ・・・  光ディスク脱落防止機構の説明
【０００９】
（１）  ・・・  光ディスクドライブ装置の概要説明
まず、図３５〜図４３によって、ディスクドライブ装置である光ディスクドライブ装置１の概要について説明すると、この光ディスクドライブ装置１の光ディスクドライブ装置本体２は、板金でプレス加工されたメインシャーシ３と、合成樹脂で成形されたフロントパネル４と、板厚が薄めの板金で形成された上カバー５とによって扁平な箱型に構成されている。そして、フロントパネル４の上部側に形成された横長の開口であるトレー出入口６から矢印ａ、ｂ方向に水平状に出し入れされるディスクトレー７によってディスク状記録媒体である光ディスクＤが光ディスクドライブ装置本体２内に矢印ａ、ｂ方向にローディング及びイジェクトされるように構成されている。そして、フロントパネル４の下部側にはメモリスティック（ソニー株式会社の商品名）等のフラッシュメモリが内蔵されたカード型記録媒体の挿入口８、イジェクト釦９、ボリューム１０、ヘッドホンジャック１１、イマージェンシーイジェクト用穴１２、動作状態表示用ＬＥＤ（発光ダイオード）１３等が配置されている。
【００１０】
そして、図３６に示すように、メインシャーシ３は鉄板等の厚手の板金でプレス加工されたものであって、このメインシャーシ３には水平壁部３ａと、その水平壁部３ａの左右両側と後端から上方に垂直状に立ち上げられた左右一対の垂直壁部３ｂと後端側垂直壁部３ｃとが備えられていて、左右一対の水平壁部３ａの前端側が前端開放部３ｄによって開放されている。そして、その水平壁部３ａのほぼ中央部には方形状で大型の中央開口部３ｅが形成されている。また、水平壁部３ａの外周から下方に立ち下げられた複数のスタンド部３ｆも備えられている。
【００１１】
そして、このメインシャーシ３内に組み込まれるユニットや部品等としては、ローディング機構２１を構成するローディングギアユニット２２、スライドカム４１、昇降駆動フレーム５１、ピックアップユニットである光学ピックアップユニット６１やディスククランパーユニット９１等がある。そして、スライドカム４１、昇降駆動フレーム５１、光学ピックアップユニット６１のピックアップ搭載フレームであるユニットフレーム６２等はメインシャーシ３と同様に板金等の厚手の板金によってプレス加工されていて、ディスククランパーユニット９１のクランパー支持フレーム９２は板金等の薄手の板金でプレス加工されている。
【００１２】
ここで、光ディスクドライブ装置本体２の組立て順序について説明すると、まず、図３６及び図３７に示すように、メインシャーシ３の水平壁部３ａの前端側の搭載位置Ｐ１にローディングギアユニット２２を上方から嵌め込む。
この際、ローディングギアユニット２２は入力プーリ２３と、その入力プーリ２５にゴムベルト２４を介して連動されたギア付プーリ２５と、そのギア付プーリ２５に連動された減速ギアである中間ギア２６と出力ギアである全周ギア２７及び扇形ギア２８とによって構成されていて、これら入力プーリ２３、ギア付プーリ２５、中間ギア２６、全周ギア２７及び扇形ギア２８の合計５枚のギア部品をメインシャーシ３の水平壁部３ａ上の搭載位置Ｐ１上に垂直状に取り付けられているモータ軸２９及び３本の支軸３１、３２、３３に上方から挿入するように嵌め込む。この際、全周ギア２７と扇形ギア２８は同一の支軸３３に上下２段に重ねられて嵌め込まれている。なお、図１２及び図１５に示すように、モータ軸２９は水平壁部３ａの下部にネジ止めされたローディングモータ３０のモータ軸である。
【００１３】
次に、図３７〜図３９に示すように、スライドカム４１をローディングギアユニット２２の上部に上方から嵌め込んで、その一部をメインシャーシ３の中央開口部３ｅ内の前端側に挿入する。
この際、スライドカム４１は水平板部４１ａとその水平板部４１ａの後端から下方に垂直状に折り曲げられた垂直板部４１ｂとによって側面形状がＬ型に形成されている。
そこで、このスライドカム４１の水平板部４１ａに形成された合計３本のガイド溝４２を水平板部４１ａ上に垂直状に切り起された２本のガイド突起４３と１本の支軸３１の上端に上方から嵌合させて、垂直板部４１ｂを中央開口部３ｅ内の前端側に垂直状に挿入する。すると、このスライドカム４１は２本のガイド突起４３と１本の支軸３１の上端部分に形成されている溝部４４で水平状に支持されて、ディスクトレー８７のローディング及びアンローディング方向である矢印ａ、ｂ方向に対して直角な横方向である矢印ｃ、ｄ方向に水平にスライド自在に組み立てられる。そして、図１０〜１５に示すように、このスライドカム４１の垂直板部４１ｂの一端側の前面に一体にプレス加工されたラック４５がローディングギアユニット２２の全周ギア２６の下部の扇形ギア２８に噛合可能になる。なお、このスライドカム４１の水平板部４１ａの左右両端部分の上部には左右一対のガイドピン４６が垂直状に固着されていて、図１２及び図１４に示すように垂直板部４１ｂにはほぼＺ形の左右一対のカム溝４７が平行状に形成されている。
【００１４】
次に、図３８及び図３９に示すように、昇降駆動フレーム５１を中央開口部３ｅの前端側の組込み位置Ｐ２に嵌め込んで、その昇降駆動フレーム５１をメインシャーシ３に上下方向である矢印ｃ、ｄ方向に回動自在に取り付けると共に、スライドカム４１で昇降駆動フレーム５１をその矢印ｅ、ｆ方向に駆動できるように連結する。
この際、この昇降駆動フレーム５１は、水平板部５１ａと、その水平板部５１ａの左右両側から後方へ平行状に延出された左右両側アーム部５１ｂと、その水平板部５１ａの前端から上方に垂直状に立ち上げられた高さが低い前端縁部５１ｃとによって平面形状がほぼコ字状に形成されている。そして、左右両側アーム部５１ｂの後端部の左右両側と、前端側の左右両側とにそれぞれ同一中心状に配置された左右各一対の支点ピン５２とガイドピン５３が水平状に突設されている。そして、前端縁部５１ｃの前面には左右一対のカム従動ピン５４が水平状に突設されている。
【００１５】
そこで、左右一対の支点ピン５２とガイドピン５３をメインシャーシ３の中央開口部３ｅの左右両側から下方に垂直状に立ち上げられている左右一対の内側垂直壁部３ｇに形成されている左右一対の支点ピン嵌合穴５５と、左右一対の円弧状ガイド溝５６に嵌め込んで、昇降駆動フレーム５１をメインシャーシ３にその左右一対の支点ピン５２を中心に上下方向である矢印ｃ、ｄ方向に回動自在に取り付ける。
そして、この後、後述するように、左右一対のカム従動ピン５４をスライドカム４１の垂直板部４１ｂに形成されている左右一対のほぼＺ形のカム溝４７の上端部４７ａ内に挿入して係合させる。
【００１６】
すると、スライドカム４１の矢印ｃ、ｄ方向のスライド運動によって左右一対のカム従動ピン５４が左右一対のカム溝４７によって上下方向である矢印ｅ、ｆ方向に昇降駆動されて、昇降駆動フレーム５１が左右一対の支点ピン５２を中心に中央開口部３ｅ内で矢印ｅ、ｆ方向に昇降駆動されるように、これらスライドカム４１と昇降駆動フレーム５１とが連結される。
【００１７】
次に、図３９及び図４０に示すように、光学ピックアップユニット６１のユニットフレーム６２の後端部６２ａと前端部６２ｂの左右両側部に形成されている左右各一対、合計４つのインシュレータ嵌合部６３に、ゴム等の弾性部材によってほぼダルマ形状に成形されているそれぞれ左右一対、合計４つのインシュレータ６４、６５をこれらの中間部によって垂直状に嵌合させる。そして、後端側の左右一対のインシュレータ６４の中心に上方から挿通した左右一対のフランジ付止ネジ６６、６７をメインシャーシ３の水平壁部３ａの中央開口部３ｅの後端側の上部の搭載位置Ｐ３に上方から捩じ込んで取り付けるようにして、そのユニットフレーム６２の後端部６２ａをメインシャーシ３の水平壁部３ａの後端側の上部に左右一対のインシュレータ６４を介して弾性的に取り付ける。また、前端側の左右一対のインシュレータ６５の中心に上方から挿通した左右一対の止ネジ６７を昇降駆動フレーム５１の水平板部５１ａの上部の搭載位置Ｐ４に上方から捩じ込んで取り付けるようにして、そのユニットフレーム６２の前端部６２ｂを昇降駆動フレーム５１の上部に左右一対のインシュレータ１３４を介して弾性的に取り付ける。
【００１８】
以上により、光学ピックアップユニット６１がメインシャーシ３の中央開口部３ｅ内で、メインシャーシ３の水平壁部３ａの後端側と、昇降駆動フレーム５１との上部間に跨がるようにして合計４つのインシュレータ６４、６５を介して弾性的に取り付けられる。
そして、昇降駆動フレーム５１の矢印ｅ、ｆ方向の昇降駆動によつて、光学ピックアップユニット１３１が後端側の左右一対のインシュレータ６４を回動支点として、矢印ｇ、ｈ方向にスイング運動によって昇降駆動することができるように組立てられる。
【００１９】
次に、図４０及び図４１に示すように、ディスクトレー７をメインシャーシ３の前端開放部３ｄから水平壁部３ａの上部の左右両側位置に矢印ａ方向から水平状に挿入して取り付ける。
この際、ディスクトレー７は合成樹脂によって成形されていて、水平状のトレー本体７ａの前端に垂直状で横長形状のトレーフロントパネル７ｂが一体に結合されている。そして、トレー本体７ａの前端側の上部にほぼ円形状の凹所７ｃが形成されていて、その凹所７ｃの中央部から後端部７ｄ側に向けてトレーセンターに沿った大型の長穴である底面開口部７ｅが形成されている。また、後端部７ｄの一側部には後述するスレッド移動機構８１のスレッド駆動モータ８２に対する逃げ用の切欠き部７ｆが形成されている。そして、トレー本体７ａは前後方向（矢印ａ、ｂ方向）に対して直角な方向の断面形状が下向きの浅いほぼコ字状に形成されていて、そのトレー本体７ａの左右両側で、最下端位置に沿って左右一対の平行状のガイドレール部７ｇが一体成形されている。
【００２０】
そこで、このディスクトレー７の左右一対のガイドレール部７ｇをメインシャーシ３の左右一対の垂直壁部３ｂの内側で、水平壁部３ａの左右両側位置上に形成されている左右一対のガイド溝部３ｈ内に矢印ａ方向に水平状に挿入する。すると、ディスクトレー７がローディングギアユニット２２及びスライドカム４１の上部を左右方向に跨ぐようにして、メインシャーシ３内に矢印ａ方向に水平状に挿入されて取り付けられる。
そして、メインシャーシ３内に矢印ａ方向から挿入されたディスクトレー７の下面に形成されている後述するラック及びガイド溝がローディングギアユニット２２の全周ギア２７とスライドカム４１のガイドピン４６の１つに噛合及び挿入されることになる。
【００２１】
次に、図４１及び図４２に示すように、メインシャーシ３の左右一対の垂直壁部３ｂに水平状に折り曲げ加工されている左右一対のディスククランパーユニット取付け部３ｉの上部に、ディスククランパーユニット９１のディスククランパー支持フレーム９２の左右両端部９２ａを水平状に載置して、左右各一対の位置決めピン９３と止ネジ９４によって位置決めしてネジ止めする。そして、ディスククランパー支持フレーム９２の中央部に形成されている円形凹所９５内に合成樹脂で成形された円板状のディスククランパー９６が挿入されて、このディスククランパー９６が円形凹所９５内に回転自在及び上下方向に移動自在となるように遊びを有する状態で水平状に支持されている。そして、ディスククランパー９６が光学ピックアップユニット６１のスピンドルモータ６８の真上位置に遊びを有する状態で水平状に架設されている。
【００２２】
そして、次に、図４３に示すように、鉄板等の薄手の板金で下向きのほぼコ字状にプレス加工されている上カバー５をメインシャーシ３の左右一対の垂直壁部３ｂ及び後端の垂直壁部３ｃの外側に被せるようにして、その上カバー５をメインシャーシ３に上方から嵌め込んで、その上カバー５をメインシャーシ３に係止爪構造やネジ止め等によって取り付ける。
そして、最後に、図３５に示すように、合成樹脂で成形されているフロントパネル４をメインシャーシ３の左右一対の垂直壁部３ｂの前端部の外側及び上カバー５のコ字状の前端部の外側に嵌め込んで複数の係止部（図示せず）によって係止すれば、図３４に示された光ディスクドライブ装置１の組立てが完了する。
【００２３】
ところで、この光ディスクドライブ装置１は、光ディスクＤのローディング時には、光ディスクドライブ装置本体２外に矢印ｂ方向にイジェクトされているディスクトレー７の凹所７ｃ内に光ディスクＤを水平状に載置する。そして、ディスクトレー７のトレーフロントパネル７ｂを矢印ａ方向に軽く押すと、ローディングスイッチがＯＮされて、ローディング機構２１のローディングモータ３０が正回転駆動されて、ローディングギアユニット２２の全周ギア２７が正回転駆動される。
すると、全周ギア２７によってディスクトレー７の後述する直線ラック１６が駆動されて、ディスクトレー７が光ディスクドライブ装置本体２内の矢印ａ方向にローディングされて、光ディスクＤが光学ピックアップユニット６１のスピンドルモータ６８の真上位置で、ディスククランパー９６の真下位置まで取り込まれる。
【００２４】
そして、ディスクトレー７のローディングが完了すると、全周ギア２７がディスクトレー７の直線ラック１６から外れて、ディスクトレー７が後述する位置決め手段によってローディング完了位置にそのまま位置決めされると共に、スライドカム４１のラック４５がローディング機構２１の扇形ギア２８に噛合され、この扇形ギア２８によってスライドカム４１が図３８の位置で矢印ｄ方向にスライド駆動される。
【００２５】
すると、スライドカム４１の左右一対のカム溝４７によって昇降駆動フレーム５１の左右一対のカム従動ピン５４が上昇駆動されて、昇降駆動フレーム５１が左右一対の支点ピン５２を中心に図３９で矢印ｅ方向に回動駆動されて、光学ピックアップユニット６１が後端側の左右一対のインシュレータ６４を中心にして、図４０で矢印ｇ方向に上昇されて、光学ピックアップユニット６１のスピンドルモータ６８の上端のディスクテーブル６９上に光ディスクＤがディスククランパー９６によってチャッキングされて、その光ディスクＤがディスクトレー７の凹所７ｃの上方に水平状に浮上される。そして、この時点でローディングモータ３０が自動停止する。
【００２６】
そして、ホストコンピュータからの記録及び／又は再生の指令信号が入力されて、後述するスピンドルモータ６８によって光ディスクＤが回転駆動され、光学ピックアップユニット６１の光学ピックアップ７１によって光ディスクＤのデータの記録及び／又は再生が行われる。
【００２７】
そして、光ディスクＤのデータの記録及び／又は再生の終了後に、イジェクト釦９が押されると、ローディングモータ３０が逆回転駆動されて、ローディングギアユニット２２の全周ギア２７及び扇形ギア２８が逆回転駆動される。
すると、ローディング時の逆動作で、スライドカム４１が図３９で矢印ｃ方向にスライド駆動されて、昇降駆動フレーム５１が図３９で矢印ｆ方向に回動駆動されて、光学ピックアップユニット６１が図４０で矢印ｈ方向に下降駆動される。そして、ディスクテーブル６９がディスククランパー９６から下方へ離脱されて、光ディスクＤがディスクトレー７の凹所７ｃ内に載置される。そして、この後、ローディングギアユニット２２の全周ギア２７によってディスクトレー７が図３５で矢印ｂ方向にイジェクトされて、光ディスクＤが光ディスクドライブ装置本体２外へ取り出されるように構成されている。
【００２８】
（２）  ・・・  メインシャーシ及びディスクトレーの説明
次に、図５〜図９によって、メインシャーシ３及びディスクトレー７について説明する。
前述したように、まず、ディスクトレー７は合成樹脂によって成形されていて、水平状のトレー本体７ａの前端に垂直状で横長形状のトレーフロントパネル７ｂが一体に結合されている。そして、トレー本体７ａの前端側の上部にほぼ円形状の凹所７ｃが形成されていて、その凹所７ｃの中央部から後端部７ｄ側に向けてトレーセンターに沿った大型の長穴である底面開口部７ｅが形成されている。また、後端部７ｄの一側部には後述するスレッド移動機構８１のスレッド駆動モータ８２に対する逃げ用の切欠き部７ｆが形成されている。そして、トレー本体７ａは前後方向（矢印ａ、ｂ方向）に対して直角な方向の断面形状が下向きの浅いほぼコ字状に形成されていて、そのトレー本体７ａの左右両側で、最下端位置に沿って左右一対の平行状のガイドレール部７ｇが一体成形されている。そして、このディスクトレー７の上面で後端部７ｄの近傍位置で、他方の側部側に偏位された位置にストッパー用突起７ｈが一体成形されていて、その後端部７ｄの他方の側部側に偏位された位置には弾性アーム部７ｉが一体成形されている。
【００２９】
そして、このディスクトレー７の底面で、左側（図６で矢印ｃ方向側を言う）のガイドレール部７ｇの下面に沿ってトレーセンターと平行な矢印ａ、ｂ方向の直線ガイド溝部１５が一体成形されていて、その直線ガイド溝部１５がの右横（図６で矢印ｄ方向側の横位置を言う）に沿って直線ラック１６と直線ガイド溝部１７が平行状に一体成形されている。なお、直線ガイド溝部１７の前端側（図６で矢印ｂ方向側を言う）にはほぼ４５°に傾斜された傾斜ガイド溝部１８を介して直角状に屈曲された直角ガイド溝部１９が一体に接続された形状に一体成形されている。また、ディスクトレー７の底面で右側（図６で矢印ｄ方向側を言う）の位置には傾斜ガイド溝部１８及び直角ガイド溝部１９と同じ形状で、かつ、同一位相状態の傾斜ガイド部１８ａと直角ガイド溝部１９ａが一体成形されていて、その傾斜ガイド部１８ａの後端（図６で矢印ａ方向側の端部を言う）は開放部１８ｂによって開放されている。
【００３０】
そして、図５及び図９に示すように、このディスクトレー７はメインシャーシ３の前端開放部３ｄから左右一対のガイド溝部３ｈ内に左右一対のガイドレール部７ｇを矢印ａ方向に挿入させるようにして、そのメインシャーシ３の水平壁部３ａ上に水平状に挿入されている。
そして、前述したように、板金でプレス加工されているメインシャーシ３の左右一対のガイド溝部３ｈは水平壁部３ａの左右両端と、左右一対の垂直壁部３ｂと、その左右一対の垂直壁部３ｂから内側に水平状に切り起された複数の突片３ｊとによってコ字状に囲まれた左右対称状の空間内に形成されている。従って、これら左右一対のガイド溝部３ｈの内側対向部は開放部３ｈによって開放されている。
【００３１】
そして、メインシャーシ３の水平壁部３ａの左側の端部（図９で左側の端部を言う）上に絞り加工等にて一体に形成された副数個（例えば３個）のガイドピン部３ｍが矢印ａ、ｂ方向に沿った一列状に配置されている。そして、この複数のガイドピン部３ｍによってディスクトレー７の左側のガイドレール部７ｇを案内する片側ガイド機構が構成されていて、この片側ガイド機構によってディスクトレー７がメインシャーシ３に対して矢印ａ、ｂ方向にスムーズにスライドできるように構成されている。
なお、ディスクトレー７の矢印ａ方向へのローディング完了時点では、このディスクトレー７の弾性アーム部７ｉがメインシャーシ３の後端垂直壁部３ｃに矢印ａ方向から弾性に抗して押圧されて停止されるように構成されている。そして、ディスクトレー７のイジェクト完了時点では、このディスクトレー７のストッパー用突起７ｈがクランパー支持フレーム９２に一体にプレス加工されているストッパー部９７に矢印ｂ方向から当接されて停止されるように構成されている。
【００３２】
（３）  ・・・  光学ピックアップユニットの説明
次に、図１〜図４によって、光学ピックアップユニット６１について説明する。
前述したように、この光学ピックアップユニット６１は板金でプレス加工されたユニットフレーム６２の前端部６２ｂ側位置にスピンドルモータ６８が下方からのビス止め方式によって垂直状に固着されていて、そのスピンドルモータ６８のロータの上端に一体に形成されて回転駆動されるディスクテーブル６９がユニットフレーム６２の上方の所定高さ位置に配置されている。
【００３３】
そして、ピックアップ手段である光学ピックアップ７１はスレッド７２に搭載されていて、このスレッド７２には対物レンズが２軸アクチュエータ７３によって上向きの垂直状に取り付けられている。そして、このスレッド７２はユニットフレーム６２のほぼ中央部に沿って形成された中央開口部７５内に配置されていて、ユニットフレーム６２の下面に平行状に取り付けられたステンレス等の金属製の左右一対のガイド軸であるガイド主軸７６とガイド副軸７７によって案内されて矢印ａ、ｂ方向に水平移動（シーク動作）されるように構成されている。そして、スピンドルモータ６８及び対物レンズ７３はトレーセンターと同一位相のスキャニングセンターＰo 上に配置されている。なお、スレッド７２はガイド主軸７６の外周に一対のスラスト軸受７２ａによって遊び（ガタツキ）の全くない状態にスライド自在に挿通されていて、ガイド副軸７７に対してはＵ型溝７２ｂ（図２６参照）によって遊びを有する状態にスライド自在に係合されている。
【００３４】
そして、この光学ピックアップユニット６１にはスレッド移動機構８１が取り付けられている。このスレッド移動機構８１はユニットフレーム６２の右側端部（図１で矢印ｄ方向側の端部を言う）に沿ってガイド主軸７６と平行状に取り付けられていて、スレッド駆動モータ８２と、合計４枚の減速ギアで構成されたギアトレイン８３とを有していて、そのギアトレイン８３の最終段の出力ギアがピニオン８４に構成されていて、そのピニオン８４がスレッド７２の右側端部に固着されてスキャニングセンターＰo と平行状に配置されたラック８５に噛合されている。そして、スレッド駆動モータ８２によってギアトレイン８３を介してピニオン８４を正逆回転駆動することにより、そのピニオン８４でラック８５を介してスレッド７２をガイド主軸７６及びガイド副軸７７に沿って矢印ａ、ｂ方向にシーク駆動されるように構成されている。
【００３５】
そして、前述したように、ユニットフレーム６２の前後両端部６２ａ、６２ｂには、そのユニットフレーム６２の左右両側面６２ｃから切り込まれた合計４つのほぼΩ形状のインシュレータ嵌合部６３が形成されている。そして、ゴム等の弾性部材によってほぼダルマ形状に成形されている合計４つのインシュレータ６４、６５が、これらの上下軸方向のほぼ中央部分に形成されている環状凹部６４ａ、６５ａによってユニットフレーム６２の合計４つのインシュレータ嵌合部６３に左右両側方から弾性に抗して水平状に挿入されて嵌合されている。そして、これらのインシュレータ６４、６５の中空部に上方から垂直状に挿通された合計４つのフランジ付止ネジ６６、６７をメインシャーシ３の水平壁部３ａの後端部と昇降駆動フレーム５１に上方から捩じ込んで垂直状に取り付けることによって、このユニットフレーム６２の後端部６２ａと前端部６２ｂがメインシャーシ３の水平壁部３ａの後端部分の上部と、昇降駆動フレーム５１の上部とにその合計４つのインシュレータ６４、６５を介して弾性的（振動的に浮かされていること）に取り付けられている。
【００３６】
そして、図３及び図４に示すように、昇降駆動フレーム５１が左右一対の支点ピン５２を中心にメインシャーシ３に対して上下方向である矢印ｅ、ｆ方向に回転駆動されることによって、ユニットフレーム６２が上昇されて水平となる上昇位置と斜め前方下方に傾斜された下降位置との間で後端部６２ａの左右一対のインシュレータ６４部分を回動支点にしてメインシャーシ３に対して矢印ｇ、ｈ方向に上下方向に回転駆動されるように構成されている。
【００３７】
（３）  ・・・  ローディング機構の説明
次に、図１〜図１６によって、ローディング機構２１について説明する。
このローディング機構２１のローディングギアユニット２２は前述したようにローディングモータ３０によって入力プーリ２３、ゴムベルト２４、ギア付プーリ２５及び中間ギア２６を介して正逆回転駆動される上下２段の出力ギアである全周ギア２７と、扇形ギア２８を備えている。但し、ギア付プーリ２５、中間ギア２６、上下２段に重ねられている全周ギア２７及び扇形ギア２８は水平壁部３ａ上に垂直状に固着されている３本の支軸３１、３２、３３の外周に取り付けられている。そして、ディスクトレー駆動機構３４が全周ギア２７とディスクトレー７の直線１６とによって構成され、光学ピックアップユニット駆動機構３５が扇形ギア２８とスライドカム４１のラック４５とによって構成され、ディスクトレー駆動機構３４と光学ピックアップユニット駆動機構３５との駆動状態を順次自動的に切り替える差動機構３６がディスクトレー７の直線ガイド溝部１７、傾斜ガイド溝部１８、１８ａ及び直角ガイド溝部１９、１９ａとスライドカム４１の左右一対のガイドピン４６とによって構成されている。なお、図１０〜図１６に示すように、メインシャーシ３の水平壁部３ａの前端部の上部で、全周ギア２７の下部位置には扇形ギア２８のストッパーピン３７と、扇形ギア２８の位置決め基準ピン２９が絞り加工等によって一体に成形されている。また、中間ギア２６の下段の小径ギア２６ａが全周ギア２７と扇形ギア２８に共通に噛合されている。
【００３８】
そして、図５〜図９に示すように、メインシャーシ３の水平壁部３ａの上部で、左右両側壁部３ｂの内側の左右一対のガイド溝部３ｈ内にディスクトレー７の左右一対のガイドレール部３ｇを水平状に挿入させるようにして、そのディスクトレー７をメインシャーシ３内に矢印ａ方向から挿入することによって、全周ギア２７が直線ラック１６に噛合され、スライドカム４１の右側のガイドピン４６が直線ガイド溝部１７内に挿入される。
【００３９】
図１１及び図１４に示すように、板金のプレス加工によってほぼＬ型に成形されているスライドカム４１の垂直板部４１ｂには左右一対のカム溝４２が平行状に形成されていて、これら左右一対のカム溝４２は水平状の上端部４２ａと、ほぼ４５°に傾斜された傾斜部４２ｂと、水平状の下端部４２ｃとによってほぼＺ形に形成されていて、上端部４２ａの先端の上部に切り欠かれた開放部４２ｄが水平板部４１ａに開放されている。
そして、図１４に示すように、昇降駆動フレーム５１の前端の左右一対のカム従動ピン５４が左右一対のカム溝４２の上端の開放部４２ｄを通して上端部４２ａ内に水平状に挿入されている。
【００４０】
ここで、ローディング機構２１の動作について説明すると、まず、ディスクトレー７がメインシャーシ３外へ矢印ｂ方向にイジェクトされた状態では、図５に１点鎖線で示すように、ストッパー用突起７ｈがクランパー支持フレーム９２のストッパー部９７に矢印ｂ方向から当接されて停止されていて、このイジェクト完了状態では、図６に１点鎖線で示す位置にてローディングギアユニット２２の全周ギア２７が直線ラック１６に噛合されている。そして、このイジェクト完了状態では、図１３〜図１５に示すように、扇形ギア２８が矢印ｉ方向に回転されて停止されていて、この扇形ギア２８がその入力側のギアである中間ギア２５の下段の小径ギア２６ａから矢印ｉ方向に離脱されている。そして、このイジェクト完了状態では、扇形ギア２８によってスライドカム４１がラック４５を介して駆動されて、矢印ｃ方向にスライドされている。そして、このスライドカム４１の矢印ｃ方向へのスライドによって、昇降駆動フレーム５１の左右一対のカム従動ピン５４がそのスライドカム４１の左右一対のカム溝４２の上端部４２ａから傾斜部４２ｂを経て下端部４２ｃまで矢印ｆ方向に下降され、図４に示すように、光学ピックアップユニット６１が後端部の左右一対のインシュレータ６４部分を回動支点にして下降位置まで矢印ｈ方向に下降されている。
【００４１】
そこで、前述したように、ディスクトレー７の凹所７ｃ内に光ディスクＤを水平状に載置した後に、トレーフロントパネル７ａが後方である矢印ａ方向に軽く押されてローディングスイッチがＯＮされると、ローディングモータ３０が正回転駆動されて、図１０〜図１２に示すように、ローディングギアユニット２２の中間ギア２６が矢印ｊ方向に正回転駆動されて、その下段の小径ギア２６ａによって全周ギア２７が矢印ｋ方向に正回転駆動される。
この際、全周ギア２７と扇形ギア２８が１つの支軸３３の外周に挿入されて水平壁部３ａ上に上下２段に重ねられている関係で、矢印ｋ方向に正回転駆動される全周ギア２７の摩擦トルクによって扇形ギア２８も矢印ｋ方向に従動回転されようとするが、図６に１点鎖線で示すように、スライドカム４１の左側のガイドピン４６がディスクトレー７の直線ガイド溝部１７内に係合されているために、ラック４５を介してその扇形ギア２８の矢印ｋ方向の回転が禁止されている。従って、この時点では、全周ギア２７のみが矢印ｋ方向に回転駆動される。
【００４２】
つまり、この時点では、図６に示した差動機構３６によってディスクトレー駆動機構３４側がＯＮとなり、光学ピックアップ駆動機構３５側がＯＦＦとなるように切り替えられている。
そして、ディスクトレー駆動機構３４を構成している全周ギア２７によってディスクトレー７の直線ラック１６が矢印ａ方向に駆動されて、ディスクトレー７がメインシャーシ３の外部のイジェクト完了位置から、図５に示すローディング完了位置まで矢印ａ方向に引き込まれて、ディスクトレー７の凹所７ｃ内に水平状に載置されている光ディスクＤがスピンドルモータ６８の真上位置まで矢印ａ方向に取り込まれて、ディスクトレー７のローディング動作が終了する。
【００４３】
そして、そのディスクトレー７のローディング動作の終了直前に、図６に示されている差動機構３６を構成しているスライドカム４１の左側のガイドピン４６がディスクトレー７の直線ガイド溝部１７内から傾斜ガイド溝部１８内に矢印ｂ方向に相対的に入り込む。また、この時、スライドカム４１の右側のガイドピン４６もディスクトレー７の右側の傾斜ガイド溝部１８ａ内に開放部１８ｂから矢印ｂ方向に相対的に入り込む。そして、これとほぼ同時に、図６に２点鎖線で示すように、全周ギア２７が直線ラック１６から矢印ｂ方向に相対的に離脱して、以後、全周ギア２７は空回りすることになる。
すると、この時の左右一対の傾斜ガイド溝部１８、１８ａとガイドピン４６とによるカム作用によって、左右一対のガイドピン４６を介してスライドカム４１が図１３の位置から矢印ｄ方向に少しスライド駆動されて、そのスライドカム４１のラック４５によって扇形ギア２８が矢印ｋ方向に少し回転駆動され、その扇形ギア２８が中間ギア２６の下段の小径ギア２６ａに矢印ｋ方向から噛合される。
【００４４】
すると、この時点で、図６に示した差動機構３６によってディスクトレー駆動機構３４側がＯＦＦとなり、光学ピックアップ駆動機構３５側がＯＮとなるように駆動状態が自動的に切り替えられる。
そして、中間ギア２６の小径ギア２６ａによって、全周ギア２７を空回ししながら、扇形ギア２８が図１１で矢印ｋ方向に回転駆動される。すると、図１０〜図１２に示すように、扇形ギア２８によってラック４５を介してスライドカム４１が矢印ｄ方向に所定のストローク分スライド駆動され、昇降駆動フレーム５１の左右一対のカム従動ピン５４がスライドカム４１の左右一対のカム溝４２の下端部４２ｃから傾斜部４２ｂを経て上端部４２ａまで矢印ｅ方向に上昇駆動される。そして、図３に示すように、昇降駆動フレーム５１が左右一対の支点ピン５２を中心に下降位置から上昇位置まで矢印ｅ方向に上昇駆動されて、光学ピックアップユニット６１が後端部の左右一対のインシュレータ６４を回動支点にして下降位置から上昇位置まで矢印ｇ方向に上昇駆動されて、この光学ピックアップユニット６１が水平状態になる。
【００４５】
すると、スピンドルモータ６８のディスクテーブル６９がディスクトレー７の凹所７ｃ内の光ディスクＤの中心孔Ｄａに下方から嵌合されて、この光ディスクＤを凹所７ｃ内で上方に少し持ち上げて浮かせる。そして、これとほぼ同時に、ディスククランパー９６が光ディスクＤに上方から圧着されて、光ディスクＤがディスクテーブル６９上に水平状にチャッキング（マグネットチャッキング）される。
そして、この時点で光ディスクＤの一連のローディング動作が完了して、ローディング完了検出スイッチによってローディングモータ３０が自動停止される。
【００４６】
なお、図５に示すように、ディスクトレー７のメインシャーシ３内への矢印ａ方向のローディング動作の完了時点で、そのディスクトレー７の後端部７ｄの弾性アーム部７ｉがメインシャーシ３の後端垂直壁部３ｃに矢印ａ方向から弾性に抗して圧着される。そして、この後に、前述したように、扇形ギア２８によってスライドカム４１が矢印ｄ方向にスライド駆動されることによって、図６に２点鎖線で示すように、スライドカム４１の左右一対のガイドピン４６が左右一対の傾斜ガイド溝部１８、１８ａから直角ガイド溝部１９、１９ａの奥位置まで矢印ｄ方向に入り込んで、ディスクトレー７が完了停止され、その弾性アーム部７ｉの弾性反発力によってディスクトレー７が左右一対のガイドピン４６に対するガタツキの全くない状態に高精度に位置決めされることになる。
【００４７】
そして、スピンドルモータ６８のディスクテーブル６９上への光ディスクＤのチャッキング完了後に、ホストコンピュータから記録及び／又は再生の指令信号が入力されると、図３及び図５に示すように、光学ピックアップユニット６１のスピンドルモータ６８によって光ディスクＤが高速で回転駆動されると共に、光学ピックアップ７１の対物レンズ７３から上向きの垂直状に出射されたレーザビームのスポットが光ディスクＤの下面に収束される。そして、スレッド移動機構８１のスレッド駆動モータ８２の正逆回転駆動によってギアトレイン８３のピニオン８４が正逆回転駆動され、ラック８５を介してスレッド７２がガイド主軸７６とガイド副軸７７で案内されて、矢印ａ、ｂ方向に駆動されて、対物レンズ７３が光ディスクＤの内外周方向にシーク駆動されて、光ディスクＤに対するデータの記録及び／又は再生が行われる。
【００４８】
なお、光ディスクＤのデータ記録及び／又は再生後の光ディスクＤのイジェクト時には、フロントパネル４のイジェクト釦９を押す。すると、前述した光ディスクＤのローディング動作の逆動作が実行される。
即ち、ローディング機構２１のローディングモータ３０が逆回転駆動されて、図１０に示すように、ローディングギアユニット２２の中間ギア２６が矢印ｍ方向に逆回転駆動されて、その小径ギア２６ａによって扇形ギア２８及び全周ギア２７が矢印ｉ方向に逆回転駆動される。この時、全周ギア２７は空回りし、扇形ギア２８がラック４５を介してスライドカム４１を矢印ｃ方向に駆動して、図１３及び図１４に示すように、スライドカム４１が矢印ｃ方向にスライド駆動される。
すると、図４に示すように、昇降駆動フレーム５１が左右一対の支点ピン５２を中心に下降位置まで矢印ｆ方向に下降駆動されて、光学ピックアップユニット６１が後端部の左右一対のインシュレータ６４を回動支点にして下降位置まで矢印ｈ方向に下降駆動される。すると、光ディスクＤがディスクテーブル６９及びディスククランパー９６からチャッキング解除されて、その光ディスクＤがディスクトレー７の凹所７ｃ上に落し込まれて水平状に載置される。
【００４９】
そして、図１３に示すように、スライドカム４１が矢印ｃ方向に所定のストローク分スライド駆動された時に、扇形ギア２８が中間ギア２６の小径ギア２６ａから離脱されて停止され、以後、その小径ギア２６ａによって全周ギア２７のみが矢印ｉ方向に逆回転駆動される。
そして、スライドカム４１が矢印ｃ方向にスライド駆動されると、図６に示す差動機構３６の左右一対のガイドピン４６がディスクトレー７の左右一対の直角ガイド溝部１９、１９ａから傾斜ガイド溝部１８、１８ａを経て直線ガイド溝部１７及び開放部１８ｂへ至る。すると、左右一対のガイドピン４６と左右一対の傾斜ガイド溝部１８、１８ａによるカム作用によって、ディスクトレー７が矢印ｂ方向に少しスライド駆動されて、ディスクトレー７の直線ラック１６が図６に１点鎖線で示されている全周ギア２７に自動的に噛合される。
【００５０】
すると、この後の全周ギア２７の引き続きの矢印ｊ方向への逆回転駆動によって直線ラック１６が駆動されて、ディスクトレー７が矢印ｂ方向にスライド駆動されて、このディスクトレー７がメインシャーシ３内から矢印ｂ方向にイジェクトされる。そして、ディスクトレー７のストッパー用突起７ｈがディスククランパー支持フレーム９６のストッパー部９７に矢印ｂ方向から当接して停止されるイジェクト完了位置までイジェクトされた時に、イジェクト完了検出スイッチ（図示せず）がＯＮされてローディングモータ３０が自動停止される。
【００５１】
（４）  ・・・  イマージェンシーイジェクト機構の説明
次に、図１０〜図１２、図１６及び図３５によって、イマージェンシーイジェクト機構１０１について説明する。
このイマージェンシーイジェクト機構１０１は、フロントパネル４のイマージェンシーイジェクト用穴２、チャッキング解除用回転体である扇形ギア２８、スライドカム４１及び昇降駆動フレーム５１によって構成されている。そして、特に、図１６に示すように、扇形ギア２８は合成樹脂等によって成形されていて、この扇形ギア２８の底面２８ａにほぼ放射状のリブ２８ｂが一体成形され、そのリブ２８ｂの中間部分（扇形ギア２８の中心に対する偏心位置）にほぼ半円弧状の治具係合用凹部１０２が一体成形されている。そして、メインシャーシ３の水平壁部３ａの前端縁で、フロントパネル４に形成されているイマージェンシーイジェクト用穴１２と、扇形ギア２８の底面２８ａに一体成形されている治具係合用凹部１０１との間を矢印ａ方向に接続する位置に治具ガイド部１０３がプレス加工されている。この治具ガイド部１０３は剪断面形状がほぼＶ形又はほぼＵ型に形成されたＶ溝又はＵ溝に形成されていて、この治具ガイド部１０３の矢印ａ方向の先端には扇形ギア２８の治具係合用凹部１０２に向うように斜め上方に傾斜された治具ガイド面１０４が形成されている。
【００５２】
ところで、このイマージェンシーイジェクト機構１０１は、前述した光ディスクＤのデータ記録及び／又は再生途中等において、停電等にて電源が切断されたために、光ディスクＤを手動でイマージェンシーイジェクト（緊急排出）するための機構である。
従って、光ディスクＤのデータ記録及び／又は再生途中においては、図１０〜図１２に示すように、扇形ギア２８が矢印ｋ方向に回転され、位置決め基準ピン３８の近傍位置で停止され、スライドカム４１が右側位置まで矢印ｄ方向にスライドされていて、図３に示すように、昇降駆動フレーム５１によって光学ピックアップユニット６１が水平状の上昇位置まで矢印ｇ方向に上昇されている。そして、この時、図１６に実線で示すように、治具係合用凹部１０２がフロントパネル４のイマージェンシーイジェクト用穴１２のほぼ正面位置で、かつ、そのイマージェンシーイジェクト用穴１２に対してやや上方に偏位された位置に配置されている。
【００５３】
そこで、図１６に実線で示すように、細い針金状の治具１０５をフロントパネル４の外部からイマージェンシーイジェクト用穴１２内に矢印ａ方向に挿入すると、その治具１０５の先端１０５ａがメインシャーシ３の治具ガイド部１０３内に挿入され、その治具ガイド部１０３の先端部分の治具ガイド面１０４で斜め上方に案内されて、その治具１０５の先端１０５ａが扇形ギア２８の底面２８ａの治具係合用凹部１０２に向けて正確に誘導されて、その治具１０５の先端１０５ａが治具係合用凹部１０２内に正確に係合させる。
【００５４】
そして、図１６に示すように、引き続き治具１０５をストロークＳ１分矢印ａ方向に押し込むと、その先端１０５ａで治具係合用凹部１０２が矢印ａ方向に押されて、扇形ギア２８が図１６に実線で示すローディング完了位置から図１６に１点鎖線で示すストッパーピン３７に当接される位置まで矢印ｊ方向に手動で回転操作される。
すると、前述した光ディスクＤのイジェクト時と同様に、扇形ギア２８によってラック４５を介してスライドカム４１が図１０に示す右側位置から図１３に示す左側位置まで図１６に示すストロークＳ２分矢印ｃ方向にスライド駆動され、昇降駆動フレーム５１を介して光学ピックアップユニット６１が図３に示す上昇位置から図４に示す下降位置まで矢印ｈ方向に下降駆動されて、光ディスクＤがディスクテーブル６９及びディスククランパー９６からチャッキング解除されて、ディスクトレー７の凹所７ｃ内に受け止められる。
【００５５】
そして、差動機構３６を構成しているスライドカム４１の左右一対のガイドピン４６とディスクトレー７の底面の左右一対の傾斜ガイド溝部１８、１８ａとによるカム作用によって、ディスクトレー７が図１６に示すストロークＳ３分フロントパネル４のトレー出入口６から前方である矢印ｂ方向に一定距離だけ押し出される。
従って、この後に、ディスクトレー７のトレーフロントパネル７ａに手をかけて、そのディスクトレー７を矢印ｂ方向に手動で引き出して、光ディスクＤをイマージェンシーイジェクト（緊急排出）することができる。
【００５６】
そして、このように構成され、かつ、動作されるイマージェンシーイジェクト機構１０１によれば、図１６に示すように、メインシャーシ３の水平壁部３ａと扇形ギア２８との間の隙間１０６を最小寸法に設定して、光ディスクドライブ装置１の薄型を促進しながら、イマージェンシーイジェクト用穴１２から矢印ａ方向に挿入された治具１０５の先端１０５ａをその扇形ギア２８の治具係合用凹部１０２に正確に、かつ、容易に係合させて、光ディスクＤの手動操作によるイマージェンシーイジェクト操作を常に確実に行うことができる。また、メインシャーシ３の水平壁部３ａにほぼＶ形やほぼＵ形の治具ガイド部１０３をプレス加工することによって、その水平壁部３ａの補強効果が得られる等の特徴がある。
【００５７】
（６）  ・・・  荷重試験時におけるディスクトレーの脱落防止機構の説明
次に、図５〜図９、図１７〜図１９によって、荷重試験時において、ディスクトレー７がメインシャーシ３から脱落することを防止するためのディスクトレー脱落防止機構１１１について説明する。
まず、この荷重試験は、図１７に示すように、ディスクトレー７をメインシャーシ３内からイジェクト方向である矢印ｂ方向に最大限に引き出して、そのディスクトレー７のストッパー用突起７ｈをディスククランパー支持フレーム９２のストッパー部９７に矢印ａ方向から当接させて停止させる。そして、このディスクトレー７の左右一対のガイドレール部７ｇの後端部分をメインシャーシ３の左右一対のガイド溝部３ｈの前端部分で支持させた状態で、そのディスクトレー７の上部に所定の荷重（１０ｋｇ等）Ｗを加えた時に、ディスクトレー７がメインシャーシ３内から脱落するか、否かを判別する目的で実行される。
【００５８】
この際、前述したように、ディスクトレー７は合成樹脂で成形されていて、板金のプレス加工等に比べて剛性が低い上に、図５に示すように、このディスクトレー７の後端部７ｄの一側部である右側に偏位された位置には、スレッド駆動モータ８２に対する逃げ用の切欠き部７ｆが形成されているために、左右一対のガイドレール部７ｇのうち、図６及び図８に示すように、その切欠き部７ｆに隣接する一方、即ち、右側のガイドレール部７ｇの後端部分の左右方向の厚さＴ１が著しく小さくなっていて、その右側のガイドレール部７ｇの後端部分の剛性が著しく低くなっている。なお、左側のガイドレール部７ｇには直線ラック１６や直線ガイド溝部１７等が隣接されているので、剛性が著しく高く構成されている。
【００５９】
このため、従来は、上記の荷重試験を行ったところ、１０ｋｇ以下の荷重Ｗをディスクトレー７に加えた時点で、図１９に示すように、ディスクトレー７の剛性が著しく低い右側のガイドレール部７ｇの後端部分が内側である矢印ｎ方向に湾曲して、メインシャーシ３の右側のガイド溝部３ｈの内側開放部３ｋから内側へ簡単に脱落した後、そのディスクトレー７の右側のガイドレール部７ｇの後端部分がメインシャーシ３の上方へ矢印ｏ方向に跳ね上がって、ディスクトレー７がメインシャーシ３内から図１７で矢印ｐ方向に簡単に脱落してしまい、安全基準を満たさないものとなっていた。
【００６０】
そこで、本発明のディスクトレー脱落防止機構１１１では、そのディスクトレー７の切欠き部７ｆに隣接されていて、剛性が著しく低くなっている一方、即ち、右側のガイドレール部７ｇの後端部分がメインシャーシ３の右側のガイド溝部３ｈの内側へ脱落することを防止するための脱落防止部１１２をメインシャーシ３に設けたものである。
この際、脱落防止部１１２として、例えば、合成樹脂成形品をメインシャーシ３に溶着等にて右側のガイド溝部３ｈの前端近傍部分で内側開放部３ｋ部分に固着する方法等を採用することもできる。しかし、ここでは、メインシャーシ３の一方、即ち、右側のガイド溝部３ｈの前端近傍位置（矢印ｂ方向の端部の近傍位置を言う）に、水平壁部３ａから上方にほぼ垂直状に切り起した突片１１３を右側のガイド溝部３ｈの前端近傍部分で、内側開放部３ｋ部分に垂直状に配置して、その突片１１３によって、その脱落防止部１１２を構成している。
そして、この突片１１３はメインシャーシ３のプレス加工時に同時に成形することができ、部品点数及び組立工数の増加によるコストアップを招くことがない上に、メインシャーシ３の水平壁部３ａにその突片１１３をプレス加工することによって、その水平壁部３ａの補強効果かも得られる。
【００６１】
このように構成された本発明の光ディスクドライブ装置１によれば、上記した荷重試験を行ったところ、１０ｋｇ以上の荷重Ｗをディスクトレー７上に加えても、図１８に示すように、ディスクトレー７の剛性が著しく低い右側のガイドレール部７ｇの後端部分がメインシャーシ３の右側のガイド溝部３ｈの内側開放部３ｋから内側方向である矢印ｎ方向に脱落することを、メインシャーシ３の突片１１３によって未然に防止することができた。従って、ディスクトレー７の右側のガイドレール部７ｇの後端部分が右側のガイド溝部３ｈから矢印ｎ方向に脱落して矢印ｏ方向に跳ね上がって、ディスクトレー７がメインシャーシ３内から図１７で矢印ｐ方向に脱落することを未然に防止することができて、光ディスクドライブ装置１の高い安全基準を満たすことができた。
【００６２】
（７）  ・・・  駆動モータとモータ基板の間に接続された電線の弛み防止機構の説明
次に、図１〜図５、図２０及び図２１によって、駆動モータとモータ基板との間に接続されている電線の弛み防止機構について説明する。
まず、前述したスレッド移動機構８１においては、ギアトレイン８３を搭載フレームであるユニットフレーム６２の下部に配置する関係で、モータであるスレッド駆動モータ８２がそのユニットフレーム６２の上部に下向きにネジ止めされている。そして、このスレッド駆動モータ８２から下方に垂直状に突出されたモータ軸８２ａの下端には、上下２段に一体成形されたギアトレイン８３の入力ギア８３ａとＦＧプーリ８４が固着されている。
【００６３】
そして、スレッド駆動モータ８２の駆動回路が実装されたモータ基板８７がＦＧプーリ８６の上面に一部オーバーラップされた状態でユニットフレーム６２の下部に平行状にネジ止めされている。そして、スレッド駆動モータ８２の内部の駆動コイルから引き出された電線（被覆電線）８８の先端がモータ基板８７の下向きの回路実装面８７ａに半田付け８８ａされている。なお、ＦＧプーリ８６の上面の外周にマグネットリング８９ａが接着等にて固着され、モータ基板８７の下向きの回路実装面８７ａで、ＦＧプーリ８６の上部にオーバーラップする位置にホール素子等の２個の位置検出素子８９ｂがマグネットリング８９ａに近接されて実装されて、このマグネットリング８９ａと２個の位置検出素子８９ａによってスレッド駆動モータ８２の回転方向、回転位置及び回転速度等を検出するＦＧ８９が構成されている。
【００６４】
そして、図２０及び図２１に示すように、このスレッド駆動モータ８２及びモータ基板８７のユニットフレーム６２への一般的な取付け構造は、スレッド駆動モータ８２から引き出されている電線８８の先端をモータ基板８７の下向きの回路実装面８７ａに予め半田付け８８ａした状態、即ち、スレッド駆動モータ８２とモータ基板８７とを電線８８で予め接続した状態で、ユニットフレーム６２の一方の側面６２ｃから切り込まれたモータ取付け用切欠き部１２２にモータ軸８２ａの外周のボス部８２ｂを横方向から挿入させて、スレッド駆動モータ８２をユニットフレーム６２の上部に下向きの垂直状に載置し、ユニットフレーム６２に下方から挿通された２本の止ネジ１２３によってネジ止めする。また、モータ基板８７をユニットフレーム６２の下部に切り起したモータ基板取付台部２４の下面に下方から止ネジ１２５と位置決めピン１２６とによって位置決めして水平状にネジ止めする。
【００６５】
すると、この時、スレッド駆動モータ８２とモータ基板８７との間に配線されている電線がユニットフレーム６２の一方の側面６２ｃの外側を迂回するようにして配線されてしまい、前述した光学ピックアップユニット６１の上昇位置と下降位置との間での矢印ｇ、ｈ方向の昇降動作中に、電線８８自体の弛みによって、その電線８８の途中の一部がメインシャーシ３の突起物等に不用意に引っかけられて断線される危険があり、著しく安全性に欠けるものとなる。
そこで、電線係止具を別に設けて、その電線係止具で電線８８のほぼ中間部をユニットフレーム６２の所定位置に係止して、電線８８の弛みをなくすようにすることが考えられるが、そうすると、部品点数及び組立工数の増加によるコストアップを招くことになる。
【００６６】
そこで、本発明の光ディスクドライブ装置１では、ユニットフレーム６２をメインシャーシ３上に弾性的に取り付けるための複数のインシュレータ６４のうちの１つを電線係止具に兼用させたものである。
即ち、ユニットフレーム６２のスレッド駆動モータ８２に最も近い位置に取り付けられるインシュレータ６４が嵌合されるほぼΩ形状のインシュレータ嵌合部６３がそのユニットフレーム６２の一方の側面６２ｃから切り込まれている。そこで、そのインシュレータ嵌合部６３の奥位置で、スレッド駆動モータ８２側の側面部分に、電線８８を挿通するのに必要最小限の大きさである極く小さい電線挿通用切欠き部１２７をプレス加工しておく。
【００６７】
そして、電線８８の長さを必要最小限に設定して、前述したように、スレッド駆動モータ８２とモータ基板８７をユニットフレーム６２の上下にネジ止めする際に、同時に電線８８のほぼ中間部８８ｂをユニットフレーム６２の一方の側面６２ｃからインシュレータ嵌合部６３を通して電線挿通用切欠き部１２７内に挿入する。
そして、この後に、ゴム等の弾性部材によってほぼダルマ形状に成形されているインシュレータ６４の上下軸方向のほぼ中央部分に形成されている環状凹部６４ａによってユニットフレーム６２の一方の側面６２ａからインシュレータ嵌合部６３内に弾性に抗して水平状に挿入する。すると、電線挿通用切欠き部１２７内に上下に挿通されている電線８８のほぼ中間部８８ｂがインシュレータ６４の上下両円筒状部６４ｂ、６４ｃによって上下から弾性的に押圧されて、この電線８８のほぼ中間部８８ｂがほぼコ字状に折り曲げられて、ユニットフレーム６２の上下両面６２ｄ、６２ｅに弾性的に圧着されて係止される。
【００６８】
そして、この後、図２１に示すように、フランジ付止ネジ６６をインシュレータ６４の中空部６４ｄ内に上方から垂直状に挿入して、メインシャーシ３の水平壁部３ａに形成されたネジ係止穴（タッピングネジ穴）１２８に捩じ込んで、そのフランジ付止ネジ６６の上端のフランジ部６６ｂでインシュレータ６４を上方から所定圧力で押圧するようにして、そのインシュレータ６４を水平壁部３ａ上にネジ止めする。すると、そのインシュレータ６４の上下両円筒状部６４ｂ、６４ｃが更に上下から圧縮されて、これら上下両円筒状部６４ｂ、６４ｃによってほぼコ字状に折り曲げられた電線８８のほぼ中間部８８ｂがユニットフレーム６２の上下両面６２ｄ、６２ｅにより強固に弾性圧着されて強く係止される。
【００６９】
以上により、電線８８をユニットフレーム６２の面積内で上下に挿通させて、そのユニットフレーム６２の上下に配置されているスレッド駆動モータ８２とモータ基板８７との間に電線８８を最短距離で接続させることができ、しかも、その電線８８のほぼ中間部８８ｂを電線係止具に兼用された１つのインシュレータ６４によってユニットフレーム６２の電線係止用切欠き部１２７内に弾性的に係止して、その電線８８の弛みを取り除くことができる。
【００７０】
従って、光学ピックアップユニット６１の搬送時、光学ピックアップユニット６１をメインシャーシ３と昇降駆動フレーム５１の上部間に跨がるように組立てる時、更には、光ディスクＤのローディング及びイジェクト時において、光学ピックアップユニット６１がメインシャーシ３に対して上下方向である矢印ｇ、ｈ方向に昇降駆動される時等において、電線８８の中間部８８ｂが他物に不用意に引っかけられて断線される危険をほぼ完全に防止することができて、高い安全性を確保できる。また、インシュレータ６４で電線係止具を兼用させたことにより、部品点数及び組立工数の削減によるコストダウンを図ることができると言う特徴が得られる。
【００７１】
（８）  ・・・  ガイド軸取付け機構の説明
次に、図１、図２、図２２〜図２９によって、ガイド軸であるステンレス等の金属製のガイド副軸７７を搭載フレームであるユニットフレーム６２の下面６２ｅに水平状（平行状）に取り付けるためのガイド軸取付け機構１３１について説明する。
このガイド軸取付け機構１３１は、ユニットフレーム６２の下面６２ｅに設けられていて、ユニットフレーム６２の中央開口部７５の一側部に偏位された位置で、そのユニットフレーム６２の下面６２ｅにガイド副軸７７の前後両端部７７ａ、７７ｂをスキャニングセンターＰo と平行な水平状態に固定するものである。
【００７２】
そして、ユニットフレーム６２の下面６２ｅで、中央開口部７５の前後両側位置に前後一対の突片１３２、１３３がスキャニングセンターＰo に対して直角状で、かつ、下面６２ｅに対して垂直状に切り起されていて、これら前後一対の突片１３２、１３３の同一側の側面が下面６２ｅに対して垂直状の前後一対の位置決め用基準面１３４、１３５に構成されている。但し、前側の突片１３２のほぼ中央部には角型の貫通穴１３６が形成されていて、その貫通穴１３６の左右両側面のうちの一方が位置決め用基準面１３４に形成されている。そして、ガイド副軸７７の前端部７７ｃが突片１３２の貫通穴１３６内に矢印ｑ方向から水平状に挿入されて、そのガイド副軸７７の前端面７７ｃがユニットフレーム６２の下面６２ｅに半抜き加工されたストッパー１３７に当接されている。
【００７３】
そして、ユニットフレーム６２の下面６２ｅで、前後一対の突片１３２、１３３の近傍位置に金属製等の前後一対の板バネ１３８、１３９がそれぞれ位置決めピン１４０、１４２と止ネジ１４１、１４２によって位置決めされてネジ止めされ、これら一対の板バネ１３８、１３９の圧着片１３８ａ、１３９ａによってガイド副軸７７の前後両端部７７ａ、７７ｂが斜め上方である矢印ｒ方向から弾性的に押圧されて、その前後両端部７７ａ、７７ｂの２点が前後一対の位置決め用基準面１３４、１３５とユニットフレーム６２の下面６２ｅとの２点にそれぞれ弾性的に強固に圧着されて固定されるように構成されている。なお、後側の板バネ１３９の圧着片１３９ａの一側部には補助圧着片１３９ｂが直角状に形成されていて、この補助圧着片１３９ｂはガイド副軸７７の後端面７７ｄを矢印ｑ方向に弾性的に押圧して、そのガイド副軸７７の前端面７７ｃをユニットフレーム６２のストッパー１３７に矢印ｑ方向から押圧して位置決めしている。
【００７４】
そして、ユニットフレーム６２のガイド副軸７７の後端部７７ｂの真上位置にネジ係止穴（タッピングネジ穴）１４５が形成されていて、ユニットフレーム６２の上面６２ｄ側からそのネジ係止穴１４５に垂直状に捩じ込まれたスキュー調整ネジ１４６の下端がガイド副軸７７の後端部７７ｂの上部に当接されている。そして、突片１３２の貫通穴１３６内にはガイド副軸７７の位置決め用基準面１３４とは反対側の側部とガイド副軸７７の下部側に隙間１４７、１４８が形成されている。そして、ガイド副軸７７の前端部７７ａの上部相当位置にはユニットフレーム６２の切欠き部１４９が形成されている。
そして、ガイド副軸７７の前端部７７ａを圧着する前側の板バネ３８のバネ力が強く構成されていて、ガイド副軸７７の後端部７７ｂを圧着する後側の板バネ３９のバネ力が弱く構成されている。
【００７５】
従って、図２３に示すように、バネ力が強い前側の板バネ３８の圧着片３８ａでガイド副軸７７の前端部７７ａをユニットフレーム６２の下面６２ｅに強く圧着させている状態で、スキュー調整ネジ１４６を上下方向である矢印ｓ方向に高さ調整すると、そのスキュー調整ネジ１４６によってガイド副軸７７の後端部７７ｂが位置決め用基準面１３５に沿ってバネ力の弱い後側の板バネ３９の圧着片３９ａに抗して上下方向に移動調整されて、このガイド副軸７７がその前端部７７ａを回動支点にして上下方向である矢印ｔ方向に回動される。そして、ユニットフレーム６２に対するガイド副軸７７の上下方向の角度調整が行われ、光ディスクＤに対する光学ピックアップ７１の対物レンズ７３の光軸のスキュー調整を行うことができるように構成されている。
【００７６】
このように構成されたガイド軸取付け機構１３１においては、スキュー調整のために、一方の板バネである後側の板バネ３９のバネ力を弱くする必要があって、落下試験等にて強い外部衝撃が加えられた時に、図２２に１点鎖線で示すように、ガイド副軸７７の後端部７７ｂ側が、バネ力の弱い後側の板バネ３９の圧着片３９ａに抗して、その圧着片３９ａを押し開くようにして後側の位置決め用基準面１３５から離れる方向である矢印ｕ方向に回動して脱落される危険があった。
【００７７】
そこで、本発明の光ディスクドライブ装置１では、ガイド副軸７７の後端部７７ｂ側が位置決め用基準面１３５から矢印ｕ方向に離れるように脱落することを防止する脱落防止部１５１をユニットフレーム６２に設けたものである。
この際、この脱落防止部１５１を合成樹脂等で別加工してユニットフレーム６２に溶着やネジ止め等にて取り付けることも可能であるが、部品点数及び組立工数の削減によるコストダウンを図る目的で、この脱落防止部１５１をユニットフレーム６２の下面６２ｅに垂直状に切り起した突片１５２によって脱落防止部１５１を構成している。
そして、この突片１５２は前側の板バネ１３８とストッパー１３７との間の位置で、ガイド副軸７７の側面に対する突片１３２の位置決め用基準面１３４側の位置に、その位置決め用基準面１３４と平行状に形成されていて、ガイド副軸７７の後端部７７ａとの間には極く小さい隙間１５３が形成されている。
【００７８】
従って、本発明の光ディスクドライブ装置１では、ガイド副軸７７をユニットフレーム６２の下面６２ｅに一対の板バネ１３８、１３９によって取り付ける際に、突片１３２が全く障害物にならず、そのガイド副軸７７の取付け作業を従来通りにスムーズに行える。
【００７９】
それでいて、落下試験等によって強い外部衝撃が加えられて、図２２に１点鎖線で示すように、ガイド副軸７７の後端部７７ｂが後側の位置決め用基準面１３５から離れる方向である矢印ｕ方向に回転して脱落されようとした時には、そのガイド副軸７７の前端部７７ａの側面を突片１５２に矢印ｖ方向から直ちに当接させて、その突片１５２によってガイド副軸７７の後端部７７ｂの矢印ｕ方向への回転を阻止（防止）することができる。
従って、ガイド副軸７７がユニットフレーム６２から脱落することを未然に防止することができて、高い安全性を得ることができる。
なお、ユニットフレーム６２の下面６２ｅへのガイド主軸７６の取付け機構も上記したガイド軸取付け機構１３１と同等の構造が採用されているので、その説明を省略し、主要部品のみを図示するに留める。
【００８０】
（９）  ・・・  光ディスクの脱落防止機構の説明
次に、図３０〜図３４によって、光ディスクドライブ装置１の垂直使用時に発生し易い光ディスクドライブ装置本体２内での光ディスクＤの脱落を防止するための光ディスク脱落防止機構について説明する。
まず、図３３及び図３４に示すように、この種光ディスクドライブ装置１では、ディスクトレー７の上面７ｈで、凹所７ｃの外周位置に間隔を隔てて一体成形した複数、例えば左右対称状の合計４つの小突起１６２を、その凹所７ｃの外周縁７ｉよりも内側の上部位置に配置し、これら４つの小突起１６２の内側端の内接円１６３の直径を光ディスクＤの直径より少し大きく形成することによって、光ディスクドライブ装置１の水平使用時には、光ディスクＤをこれら４つの小突起１６２間を通して凹所７ｃ内に出し入れすることができる上に、光ディスクドライブ装置本体２の左右両側面のうちの一方を下向きにするようにして、この光ディスクドライブ装置本体２を垂直状に立てて使用する光ディスクドライブ装置１の垂直使用を可能にしている。
【００８１】
即ち、この垂直使用時には、光ディスクドライブ装置本体２と一緒にディスクトレー７も垂直状となり、凹所７ｃも横向きになる。しかし、光ディスクＤを４つの小突起１６２を通すようにして垂直姿勢状態で横方向から凹所７ｃ内に矢印ｗ方向に挿入して、下方である矢印ｘ方向に少しずらせると、その４つの小突起１６２のうちの２つで、光ディスクＤを凹所７ｃ内にほぼ垂直姿勢状態に保持することができる。従って、光ディスクＤをディスクトレー７の凹所７ｃ内にほぼ垂直姿勢状態に保持して光ディスクドライブ装置本体２内に矢印ａ、ｂ方向にローディング及びイジェクトすることができて、光ディスクドライブ装置１の垂直使用が可能になっている。
【００８２】
しかし、従来は、図３４に示すように、光ディスクドライブ装置１の垂直使用時で、光ディスクドライブ装置本体２内にほぼ垂直姿勢状態でローディングされた光ディスクＤに対してスピンドルモータ６８のディスクテーブル６９を横方向である矢印ｈ、ｇ方向からチャッキング及びチャッキング解除する際に、光ディスクＤとディスクテーブル６９のセンターがずれて、ディスクテーブル６９によって光ディスクＤが矢印ｇ方向に押される等の理由等によって、図３４に１点鎖線で示すように、光ディスクＤがディスクトレー７の凹所７ｃの外周の複数の小突起１６２の内周間をすり抜けてその凹所７ｃ外へ矢印ｇ方向へ押し出されて、ディスクトレー７と上カバー５との間の隙間内に脱落してしまうような事故が往々にして発生していた。そして、光ディスクＤが一度ディスクトレー７と上カバー５との間の隙間内に脱落してしまうと、その光ディスクＤを光ディスクドライブ装置１外へ取り出すことができなくなる上に、その光ディスクＤの脱落によって光ディスクＤが傷つけられて使用不能になる等の重大事故につながってしまう。
【００８３】
本発明の光ディスクドライブ装置１の光ディスク脱落防止機構１６１は、上記した光ディスクＤの脱落を防止するための機構である。
即ち、図３０及び図３１に示すように、光ディスクドライブ装置１の垂直使用時で、垂直姿勢状態の光ディスクＤに対してスピンドルモータ６８のディスクテーブル６９が横方向である矢印ｇ、ｈ方向からチャッキング及びチャッキング解除される際に、光ディスクＤとディスクテーブル６９のセンターがずれて、ディスクテーブル６９によって光ディスクＤが矢印ｇ方向に押されるために、その光ディスクＤが複数の小突起１６２間をすり抜けて、凹所７ｃ外まで矢印ｇ方向へ移動することを防止するための複数、例えば、３つの脱落防止部１６４、１６５、１６６を設けたものである。
そして、これらの脱落防止部１６４、１６５、１６６は光ディスクＤのスピンドルモータ６８側とは反対側の側面Ｄｂが当接されるディスク側面当接部１６４ａ、１６５ａ、１６６ａと、光ディスクＤの外周面Ｄｃが当接されるディスク外周当接部１６４ｂ、１６５ｂ、１６６ｂとがほぼ直角状に形成されている。
【００８４】
そして、これら３つの脱落防止部１６４、１６５、１６６のうちの２つの脱落防止部１６４、１６５は、光ディスクドライブ装置本体２内におけるスピンドルモータ６８の中心Ｏ１を通る垂直基準線位置Ｐ１１に対して後方側である矢印ａ方向側にオフセット量Ｓ１分オフセットされた位置Ｐ１２の上下両方向からほぼ対向された状態に配置されている。また、残りの脱落防止部１６６はスピンドルモータ６８の中心Ｏ１を通る水平基準位置Ｐ１３上でその中心Ｏ１から前方側である矢印ｂ方向側にオフセット量Ｓ２分オフセットされた位置に後方に向けられて配置されている。
そして、２つの脱落防止部１６４、１６５はメインシャーシ３の左右一対の垂直壁部３ｂ又は上カバー５等の固定部にプレス加工等にて形成されていて、１つの脱落防止部１６６はディスクトレー７等の可動部又は上カバー５、メインシャーシ３等の固定部に樹脂成形又はプレス加工等にて形成されている。
【００８５】
このように構成された本発明の光ディスクドライブ装置１における光ディスク脱落防止機構１６１によれば、光ディスクドライブ装置１の垂直使用時における光ディスクＤに対するディスクテーブル６９の横方向からのチャッキング及びチャッキング解除時に、光ディスクＤが矢印ｇ方向に押されて、４つの小突起１６２間をすり抜けて凹所７ｃ外へ矢印ｇ方向に飛び出したとしても、３つの脱落防止部１６４、１６５、１６６のディスク側面当接部１６４ａ、１６５ａ、１６６ａで光ディスクＤの記録面Ｄｄとは反対側の側面Ｄｂを受け止めて、一定以上の飛び出しを防止する。
そして、その飛び出された光ディスクＤが自重で下方へ少し下がったところで３つの脱落防止部１６４、１６５、１６６のディスク外周当接部１６４ｂ、１６５ｂ、１６６ｂのうちの２つ、１６４ｂと１６６ｂ又は１６５ｂと１６６ｂで光ディスクＤの外周面Ｄｃの２点を受け止めて、この光ディスクＤをスピンドルモータ６８の中心Ｏ１に自動的にセンターリングすることができる。
【００８６】
以上のように、この光ディスク脱落防止機構１６１によれば、光ディスクＤの凹所７ｃから矢印ｇ方向への大きな飛び出しの防止効果と、スピンドルモータ６９の中心Ｏ１への光ディスクＤの自動センターリング効果とを発揮することができて、光ディスクＤを再び凹所７ｃ内に確実に戻し込むことができる。従って、光ディスクＤが光ディスクドライブ装置本体２内で、ディスクトレー７と上カバー５との間の隙間内に脱落して、その光ディスクＤを光ディスクドライブ装置１外へ取り出すことができなくなったり、光ディスクＤの記録面Ｄｄが傷つけられて使用不能になる等の重大事故を未然に防止することができ、高い安全性を確保できる。
【００８７】
なお、このディスク脱落防止機構１６１の３つの脱落防止部１６４、１６５、１６６は図３２に示すように、ディスク外周当接部１６４ｂ、１６５ｂ、１６６ｂを省略して、ディスク側面当接部１６４ａ、１６５ａ、１６６ａのみで構成してもよい。但し、この場合は、スピンドルモータ６８の中心にＯ１に対する光ディスクＤの自動センターリング機能は得られない。
【００８８】
以上、本発明の実施の形態について説明したが、本発明は上記した実施の形態に限定されることなく、本発明の技術的思想に基づいて各種の変更が可能である。例えば、本発明は光ディスク以外の各種のディスク状記録媒体を記録及び／又は再生する各種のディスクドライブ装置に適用可能である。
【００８９】
【発明の効果】
以上のように構成された本発明のディスクドライブ装置は、ディスクトレーがディスクドライブ装置本体外に最大限に引き出された状態で、そのディスクトレー上に所定の荷重（１０ｋｇ）が加えられても、そのディスクトレーの一方のガイドレール部で、そのディスクトレーの後端部に形成された切欠き部に隣接されているために剛性が著しく弱められている後端部分が一方のガイド溝の内側へ脱落されることを脱落防止部によって未然に防止することができるようにしたので、ディスクドライブ装置の安全性、高信頼性を確保することができる。
【図面の簡単な説明】
【図１】  本発明を適用した光ディスクドライブ装置の実施の形態を説明する光学ピックアップユニット部分の平面図である。
【図２】  図１の底面底面図である。
【図３】  図１のＡ−Ａ矢視での側面図であって、光学ピックアップユニットの上昇状態を示した図面である。
【図４】  図１のＡ−Ａ矢視での側面図であって、光学ピックアップユニットの下降状態を示した図である。
【図５】  メインシャーシ内にディスクトレーがローディングされた状態を示した平面図である。
【図６】  ディスクトレーの底面図である。
【図７】  図６のＢ−Ｂ矢視での断面図である。
【図８】  図６のＣ−Ｃ矢視での断面図である。
【図９】  図６のＤ−Ｄ矢視での断面図である。
【図１０】  ローディング機構における光学ピックアップユニットの上昇時におけるスライドカム、昇降駆動フレーム及びローディングギアユニットの位置関係を示した平面図である。
【図１１】  図１０のＥ−Ｅ矢視での断面図である。
【図１２】  図１０のＦ−Ｆ矢視での断面図である。
【図１３】  ローディング機構における光学ピックアップユニットの下降時におけるスライドカム、昇降駆動フレーム及びローディングギアユニットの位置関係を示した図面である。
【図１４】  図１３のＧ−Ｇ矢視での断面図である。
【図１５】  図１３のＨ−Ｈ矢視での断面図である。
【図１６】  イマージェンシーイジェクト機構を説明する一部切欠き平面図及びＩ−Ｉ断面図である。
【図１７】  ディスクトレーの荷重試験を説明する一部切欠き側面図である。
【図１８】  荷重試験時におけるメインシャーシからのディスクトレーの脱落を防止する機構を説明する断面図である。
【図１９】  荷重試験時におけるメインシャーシからのディスクトレーの脱落原因を説明する断面図である。
【図２０】  電線弛み防止機構を説明する斜視図である。
【図２１】  電線弛み防止機構を説明する一部切欠き側面図である。
【図２２】  ガイド軸取付け機構を説明する底面図である。
【図２３】  図２２のＪ−Ｊ矢視での断面図である。
【図２４】  図２２のＫ−Ｋ矢視での断面図である。
【図２５】  図２２のＭ−Ｍ矢視での断面図である。
【図２６】  図２２のＮ−Ｎ矢視での断面図である。
【図２７】  図２２のＯ−Ｏ矢視での断面図である。
【図２８】  図２２のＰ−Ｐ矢視での断面図である。
【図２９】  図２２のＱ−Ｑ矢視での断面図である。
【図３０】  光ディスクドライブ装置の垂直使用時に機能する光ディスク脱落防止機構を説明する側面図である。
【図３１】  図３１のＲ−Ｒ矢視での断面図である。
【図３２】  同上の光ディスク脱落防止機構の変形例を説明する図３１と同様の断面図である。
【図３３】  従来の光ディスクドライブ装置の垂直使用時におけるディスクトレーへの光ディスクの垂直保持構造を説明する側面図である。
【図３４】  従来の光ディスクドライブ装置の垂直使用時における光ディスクドライブ装置本体内での光ディスクの脱落の様子を説明する図３３のＳ−Ｓ矢視での断面図である。
【図３５】  光ディスクドライブ装置の外観を説明する斜視図である。
【図３６】  光ディスクドライブ装置のローディングギアユニットの組立てを説明する斜視図である。
【図３７】  光ディスクドライブ装置のスライドカムの組立てを説明する斜視図である。
【図３８】  光ディスクドライブ装置の昇降駆動フレームの組立てを説明する斜視図である。
【図３９】  光ディスクドライブ装置の光学ピックアップユニットの組立てを説明する斜視図である。
【図４０】  光ディスクドライブ装置のディスクトレーの組立てを説明する斜視図である。
【図４１】  光ディスクドライブ装置のディスククランパーユニットの組立てを説明する斜視図である。
【図４２】  光ディスクドライブ装置のディスククランパーの組立てを説明する斜視図である。
【図４３】  光ディスクドライブ装置の上カバーの組立てを説明する斜視図である。
【符号の説明】
１はディスクドライブ装置である光ディスクドライブ装置、３はメインシャーシ、３ｈはメインシャーシのガイド溝部、７はディスクトレー、７ｄはディスクトレーの後端部、７ｆはディスクトレーの切欠き部、７ｇはディスクトレーのガイドレール部、１１１はディスクトレー脱落防止機構、１１２は脱落防止部、１１３は突片である。
【図１】
0004407032.tif 000002
【図２】
0004407032.tif 000003
【図３】
0004407032.tif 000004
【図４】
0004407032.tif 000005
【図５】
0004407032.tif 000006
【図６】
0004407032.tif 000007
【図７】
0004407032.tif 000008
【図８】
0004407032.tif 000009
【図９】
0004407032.tif 000010
【図１０】
0004407032.tif 000011
【図１１】
0004407032.tif 000012
【図１２】
0004407032.tif 000013
【図１３】
0004407032.tif 000014
【図１４】
0004407032.tif 000015
【図１５】
0004407032.tif 000016
【図１６】
0004407032.tif 000017
【図１７】
0004407032.tif 000018
【図１８】
0004407032.tif 000019
【図１９】
0004407032.tif 000020
【図２０】
0004407032.tif 000021
【図２１】
0004407032.tif 000022
【図２２】
0004407032.tif 000023
【図２３】
0004407032.tif 000024
【図２４】
0004407032.tif 000025
【図２５】
0004407032.tif 000026
【図２６】
0004407032.tif 000027
【図２７】
0004407032.tif 000028
【図２８】
0004407032.tif 000029
【図２９】
0004407032.tif 000030
【図３０】
0004407032.tif 000031
【図３１】
0004407032.tif 000032
【図３２】
0004407032.tif 000033
【図３３】
0004407032.tif 000034
【図３４】
0004407032.tif 000035
【図３５】
0004407032.tif 000036
【図３６】
0004407032.tif 000037
【図３７】
0004407032.tif 000038
【図３８】
0004407032.tif 000039
【図３９】
0004407032.tif 000040
【図４０】
0004407032.tif 000041
【図４１】
0004407032.tif 000042
【図４２】
0004407032.tif 000043
【図４３】
0004407032.tif 000044